(57)【特許請求の範囲】
【請求項１】
機械的又はメカトロニカル的な方法にて動作可能に構成されたロックシステム内のロック要素又はアクチュエータ（１）用の移動ロックユニットであって、
ブロック要素を備えており、
前記ブロック要素が、引張力を受けて保持されるか又は移動されるシステムであって、前記ロックシステムに外部パルスを加える結果として始動可能に構成されたシステムによって前記ロック要素及び前記アクチュエータ（１）のうち少なくとも前記アクチュエータ（１）に係合可能に構成され、
前記ブロック要素が、前記アクチュエータ（１）に係合することによりその動きをロックすることができるセクション又はストッパ（１０）を有する自由端部を含むと共にその片側を支持したピボットレバー（３）と、一方端部をピボットレバーベアリング（１１）と距離を置いて前記ピボットレバー（３）に接続し、かつ他方端部を前記ピボットレバーベアリング（１１）と距離を置いて支持すると共にそれに対してオフセットさせた引張スプリング（４）とを備えており、
前記引張スプリング（４）が前記ピボットレバー（３）の軸の延長部分と実質的に整列する際に前記ピボットレバー（３）が中間位置を取るように、前記引張スプリング（４）が配向及び調節され、
前記引張スプリング（４）が前記中間位置を基準として互いに鏡像となる前記ピボットレバー（３）の偏倚中にて前記中間位置よりも小さな力で引張られた状態になるように構成され、
前記ピボットレバー（３）の１つの偏倚は開放位置に相当すると共に前記ピボットレバー（３）の別の偏倚はロック位置に相当し、
前記ピボットレバー（３）が前記開放位置から前記ロック位置に開放される際に揺動可能となるように構成されている、移動ロックユニット。
【請求項２】
前記ブロック要素が前記ロック要素及び前記アクチュエータ（１）のうち少なくとも前記アクチュエータ（１）と一時的に係合可能に構成されている、請求項１に記載の移動ロックユニット。
【請求項３】
複数の要素を有する前記アクチュエータ（１）の回動を一時的にブロックするために、前記アクチュエータ（１）の要素の１つは、シリンダコア（２２）とシリンダ用筐体（２１）との間におけるロックシリンダ中にて動作するロックバー（１３）に係合可能に構成された電動式の回動ロック（１２）になっており、
前記電動式の回動ロック（１２）は、キーのコード化が間違っている場合には、前記シリンダコア（２２）が回動しないように構成され、かつ前記ロックシリンダが通常状態にて動作する場合には、前記ピボットレバー（３）用のストッパ（１０）が前記開放位置に留まると共に、前記回動ロック（１２）の動きを止めるために前記要素に加えられる外部パルスが存在する場合には、前記ピボットレバー（３）用のストッパ（１０）は前記ロック位置に揺動するように構成されている、請求項１又は２に記載の移動ロックユニット。
【請求項４】
前記ピボットレバー（３）に接触可能に構成され、それに関連した凹部の中で自由に移動可能に構成される物体であって、前記ピボットレバー（３）が前記開放位置内で外部パルスによって動作して、前記ピボットレバー（３）が前記開放位置から前記ロック位置に移動する場合、前記ピボットレバー（３）に運動量を付与する物体が用いられている、請求項３に記載の移動ロックユニット。
【請求項５】
前記ロックシステムを動作させる認証キーを引き抜いて、これによって、前記ピボットレバー（３）に運動量を付与する場合に、前記ピボットレバー（３）が前記ロック位置から変動中の位置を通って前記開放位置に復帰可能となるように構成されている、請求項１〜４のいずれか一項に記載の移動ロックユニット。
【請求項６】
前記アクチュエータ（１）のローター軸（２）は、カム（６）の態様にて略長方形の形状に広がるように形成され、Ｕ字形のリセットフレーム（７）の対向する脚部間で回動可能なセクションを備えており、
前記リセットフレーム（７）は前記ローター軸（２）に対して垂直な関係にて自由に移動可能に構成され、
前記リセットフレーム（７）の脚部（８）の１つは、その自重により又はスプリングの作用により前記セクションの側部の１つを支えて、前記ローター軸（２）の自由な回動を防ぐように構成されている、請求項１に記載の移動ロックユニット。
【請求項７】
前記ローター軸（２）の方向から見て、前記セクションは、対向して配置されると共に２つの横方向面により接続された２つの平坦な長手方向面（９）を有しており、
前記ローター軸（２）が空回り可能な状態にある場合にて、前記リセットフレーム（７）の脚部（８）の１つは、前記ローター軸（２）の空回りを防ぐように、前記セクションの１つの長手方向面上に配置可能に構成されている、請求項６に記載の移動ロックユニット。 
【発明の詳細な説明】
【技術分野】
【０００１】
本発明は、ロックシステム内のロック要素又はアクチュエータ用の移動ロックユニットに関する。
【背景技術】
【０００２】
ロックシリンダは、機械的構造体を有するだけでなく、ロックシリンダ内の特定の調節部材又はブロック部材に影響を与えて、これらと相互作用するアクチュエータを有することが多くなっている。これは、例えば、要素の回動又は変位を防止するロックバー又はロック機能部位のように、要素の回動又は変位を含むことができるものとなっている。
【０００３】
このことについては、それぞれの要素が、振動又は外部パルス（外部衝撃パルス）を印加すること等のようにロックシステム内の物理的なエネルギー付加の結果として、潜在的に移動可能となっている特定の質量を有しているために、例えば、回動又は移動をブロックする間に実現されるべき機能がもはや有効ではないという想定に基づいている。
【発明の概要】
【発明が解決しようとする課題】
【０００４】
従って、本発明の目的は、ロック要素又はアクチュエータの望ましくない又は不用意な動きを防止する解決策を提供することにある。
【課題を解決するための手段】
【０００５】
この目的は、本発明に基づいて、機械的又はメカトロニカル的に動作可能なロックシステム内でロック要素又はアクチュエータ用の移動ロックユニットを用いて実現されることとなる。これは、移動ロックユニットが、引張力を受けて保持されるか又は移動されるシステムであって、ロックシステムに外部パルスを加える結果として始動可能に構成されるシステムによってロック要素及びアクチュエータの少なくとも一方に係合可能に構成されたブロック要素を備えていることを特徴としている。
【０００６】
好ましいことに、ブロック要素は、ロック要素及びアクチュエータの少なくとも一方と一時的に係合可能に構成され、さらには、ロックシステムの適切な動作によって初期化可能に構成されている。
【０００７】
構造的に、この移動ロックユニットは、後述する好ましい実施形態を用いて、種々の方法により構成することができる。
【０００８】
１つの構成によれば、ブロック要素は、その動きをロックするためにアクチュエータと係合することができるセクション又はストッパを有する自由端部を含むと共にその片側を支持するピボットレバーと、一方端部をピボットレバーベアリングと距離を置いてピボットレバーに接続し、かつ他方端部をピボットレバーベアリングと距離を置いて支持すると共にそれに対してオフセットさせている引張スプリングとを備えており、それは、ピボットレバーの軸の延長部分に実質的に整列される際にピボットレバーが中間位置（安定位置、安定した中間位置）を取るように、引張スプリングが配向及び調節され、引張スプリングが中間位置を基準として互いに鏡像となる偏倚中にて引張られた状態又は緩和された状態になり、ピボットレバーの１つの偏倚は開放位置（又は静止位置）に相当すると共に、ピボットレバーの他の偏倚はロック位置に相当し、ピボットレバーが中間位置からロック位置に開放される際に揺動可能となるように構成されている。
【０００９】
移動ロックユニットが、複数の要素を有するアクチュエータの回動を一時的にブロックするように意図されている場合、アクチュエータの要素の１つは、シリンダコアとシリンダ用筐体との間におけるロックシリンダの中で動作するロックバーと係合可能に構成された電動式の回動ロックになっており、キーのコード化が間違っている場合にシリンダコアが回動しないように構成されている。このとき、ロックシリンダが通常の方法で動作し、回動ロックの動きを止めるために要素に加えられる外部パルスが存在する状態でロック位置に揺動する場合には、ピボットレバー用のストッパは開放位置に留まるように構成されている。
【００１０】
この場合、物体、好ましくは、ボールはピボットレバーに接触可能に構成され、それに関連した凹部の中で自由に移動可能に構成され、かつピボットレバーが開放位置内で外部パルスによって動作してピボットレバーが開放位置からロック位置に移動する場合にはピボットレバーに運動量を付与するように構成されている。
【００１１】
ロックシステムを動作させる認証キーを引き抜いて、これによりピボットレバーに運動量を付与する場合、ピボットレバーをロック位置から変動中の位置を介して開放位置に復帰可能となるように構成されている。
【００１２】
さらに別の構成によれば、アクチュエータのローター軸は、カムの態様にて略長方形の形状に広がるように形成され、Ｕ字形のリセットフレームの対向する脚部間で回動可能なセクションを備えている。ここで、リセットフレームはローター軸に対して垂直な関係にて自由に移動可能に構成され、リセットフレームの脚部の１つは、その自重により又はスプリングの作用により長方形セクションの側部の１つを支えて、ローター軸の自由な回動を防ぐように構成されている。
【００１３】
ローター軸の方向で見ると、セクションはこれにより、対向して配置されると共に２つの横方向面により円弧状に接続された２つの平坦な長手方向面を有することができる。ここで、リセットフレームの脚部の１つは、ローター軸が空回り可能な状態にある場合（ローター軸がアイドリング回動位置を占有している場合）、ローター軸（２）の空回りを防ぐように、セクションの１つの長手方向面上に配置されている。
【００１４】
移動ロックユニットの別の実施形態では、ロック要素が、シリンダコアとロックシリンダ内のシリンダ用筐体との間で動作して、キーのコード化が間違っている場合にはシリンダコアの回動を防止し、ロックシステムの動作が正常である場合にはそれを開放するロックバーになっていることを特徴としている。ここで、ロックバーに対して移動可能なピン、特に、軸方向に移動可能なピンが設けられると共にブロック要素として構成されており、そのピンは、その静止位置ではロックバーの移動には干渉しないが、外部パルスによって動作する場合には軸方向にシフトされて、ロックバーとブロック要素の非対応（又は非対称）の接触面との接触によってロックバーの移動を防止するように構成されている。ブロック要素の静止位置は、ブロック要素に対して横方向に変位可能な保持要素によって維持されて、この保持要素は、外部パルスを加えるとスプリングの力に抗してブロック要素から離れて軸方向に移動可能になり、これによって、ブロック要素が軸方向に変位可能となるように構成されている。
【００１５】
この文脈では、キーが挿入されて正常なロックが行われている場合、レバーピンは、ロックバーの移動を除外するために回動ロックを動かすこと及び結合要素の移動に伴ってブロック要素を移動させることの両方を行うようにさらに設定されている。この場合、ブロック要素の静止位置は、静止位置にて非対応（又は非対称）の支持面がロックバーから切り離されて位置する保持要素によって維持される構成になっている。
【００１６】
本発明をここで、図面を参照してより詳細に説明する。
【図面の簡単な説明】
【００１７】
【図１】ロックシステムの一部、より詳細には、通常のロック状態でアクチュエータと協働するロックバーを概略的に示す図である。
【図２】ロックが可能な状態を示す図である。
【図３】移動ロックがトリガされた状態を示す図である。
【図４】リセットフレームの形式の別のロック要素を示す図である。
【図５】種々の図面や状態の別の実施形態を示す図である。
【図６】種々の図面や状態の別の実施形態を示す図である。
【図７】種々の図面や状態の別の実施形態を示す図である。
【図８】種々の図面や状態の別の実施形態を示す図である。
【発明を実施するための形態】
【００１８】
ロックシステムでは、詳細には示していないが、電動アクチュエータ１が、例えば、キー（図示せず）を挿入可能とするシリンダコア２２を回動可能に配置したロックシリンダ用筐体２１内に設けられている。
【００１９】
電子的にコード化されたキーが当該ロックシリンダにて使用される場合、アクチュエータへの電気信号が適合キー（マッチングキー）の存在下では送信されて、ロックバー１３が解除される位置にローター軸２を回動させて、これによって、ロックバー１３が、ロックシリンダ用筐体とシリンダコアとの間の分離面を従来の方法にて半径方向内向きに移動させて凹部２３から持ち上げて、その結果、ロック処理が実行されることとなる。
【００２０】
振動又は、特に、外部パルス（外部衝撃パルス）、例えば、打撃動作（ブロー）は、適合キーが存在しないためにアクチュエータが動作しない場合であっても、ローター軸の僅かな回動運動を引き起こすことがある。
【００２１】
最悪の場合、このことが、ロック要素を開放するか又は操作、すなわち、ロック動作を実行することを可能にするのに十分となることがある。
【００２２】
本発明によれば、図１〜図３の実施形態で示すように、スプリング４による引張力の下で保持されるピボットレバー３を設けている。
【００２３】
ピボットレバーが移動可能であり、スプリング引張力の下でなおも保持されるために、両方の支持が互いに僅かにオフセットしている。
【００２４】
図１に示した位置、いわゆる開放位置のスプリング４は、引張られた状態であることが必要不可欠である。また、スプリングは、図３に示したロック位置にて引張られた状態となっている。ピボットレバーは、これら２つの位置の間で、スプリングが僅かに大きな力で引張られる位置（変動中の位置又は中間位置）に打ち勝つ必要がある。
【００２５】
外部パルスを印加した結果、ピボットレバーは、中間位置に打ち勝ってロック位置（図３）に揺動（スイング）するように、開放位置（図１）から移動することとなる。
【００２６】
この中間位置を通過する揺動動作は、図３に示すように、任意の方向からのパルスに応答して動き、ピボットレバーを押し付ける大きさであり、かつ自由に移動するボール５によって補助可能となっている。
【００２７】
アクチュエータの回動に対するさらに別の保護手段は、いわゆるリセットフレーム７によって実現することもできる。
【００２８】
そのために、ローター軸２には、カムの態様であるワイダーセクション６が設けられている。
【００２９】
図４に示すように、このセクション６は、Ｕ字形の構造体を有するリセットフレーム７によって囲まれている。
【００３０】
このリセットフレーム７はローター軸２に垂直な関係で自由に移動可能となっている。
【００３１】
僅かであるが、重さがあるので、リセットフレームは重力のために、図３に示すように、運動の自由度に関して、最も低い位置にあると想定して、それをこの好ましい位置にてスプリングにより保持することもできる。
【００３２】
ローターシャフト上でカムのように構成されたセクション６は、形状が略長方形であるため、リセットフレームはその一端、この場合、上側脚部８を上側長手面９上で支えるため、リセットフレームの重力又は質量がローターシャフトをこの位置に固定し、外部パルスがあると、セクション６の形状のため、また押し戻す。
【００３３】
図５〜図８はさらに別の実施形態を示しており、図６及び図８は、それぞれ図５及び図７に示した状態の異なる図を示している。
【００３４】
これらの図面にはロックシリンダが示されていないのに対して、後者とシリンダコアとの間で既知の方法によって、この場合もまた動作するロックバーが１３で示されている。
【００３５】
ロックバー１３は、ここで再び電動アクチュエータ１と連動するとき、すなわち、電動アクチュエータ１が回動ロック１２と共に動作するとき、ロックバー１３は構成に応じて、それがロックシステムをロックする位置から離れるように移動して、ロック位置を開放することができるか、又は電動アクチュエータが再びロックバー１３が動くことができない位置に回動ロック１２を移動させることができる。
【００３６】
この実施形態では、ばねバイアス式（スプリング１８）で（縦軸に対して）軸方向にシフト可能に構成されると共にブロック要素１４として機能するピンが設けられている（図５）。このピンは、図８に示すように、ピン１４の軸方向の位置に応じて、ロックバー１３の軸方向の移動を可能にする種々の凹部１５を有している。
【００３７】
ロックバーの軸方向の動きが除かれた軸方向の位置を想定すると、このピンは保持要素１７−この場合、スプリングボール９による圧力の下で維持されるボールによって保持される（図６）。
【００３８】
ロックシステムが外部パルスによって動作すると、保持要素１７が軸方向に図８で示した位置まで変位して、これによってスプリングを緩めることとなる。ロックバーは、上側凹部内で支持体により軸方向に動くことができないために、ロックシリンダがブロックされる、すなわち、ブロック動作を行うことができないことが分かるであろう。
【００３９】
図示していないキーを挿入すると、レバーピン１６が回動されて、スプリング２０による圧力の下で保持されている結合要素２４が外されることとなる。
【００４０】
この結合要素２４は、今度は、ピンとして構成されたブロック要素１６を、スプリング１９又は保持要素１７の圧力に逆らって押して、図６に示した初期の位置に復帰させるようになっている。
【図１】
0005993377.tif 000002
【図２】
0005993377.tif 000003
【図３】
0005993377.tif 000004
【図４】
0005993377.tif 000005
【図５】
0005993377.tif 000006
【図６】
0005993377.tif 000007
【図７】
0005993377.tif 000008
【図８】
0005993377.tif 000009